(57)【要約】【課題】画質の劣化を招くことなく、複数のデジタルカメラの画像出力データを１本のカメラリンクケーブルで伝送できるカメラ画像伝送システムを提供すること【解決手段】複数のデジタルカメラＣａｍ１〜４の画像出力データをカメラリンク規格に準じて広帯域化する広帯域化回路と、１本のカメラリンクケーブルで伝送されてきた前記広帯域化された画像出力データをデジタルカメラ毎の画像出力データに振り分ける復元回路とを有するカメラ画像伝送システム。【選択図】図１
2013135297.tif 000002
【特許請求の範囲】
【請求項１】
複数のデジタルカメラの画像出力データを１本のカメラリンクケーブルで伝送するカメラ画像伝送システムであって、
複数のデジタルカメラの画像出力データをカメラリンク規格に準じて広帯域化する広帯域化回路と、１本のカメラリンクケーブルで伝送されてきた前記広帯域化された画像出力データをデジタルカメラ毎の画像出力データに振り分ける復元回路とを有することを特徴とするカメラ画像伝送システム。
【発明の詳細な説明】
【技術分野】
【０００１】
本発明は、複数のデジタルカメラの画像出力データをカメラリンク規格で伝送するカメラ画像伝送システムに関する。
【背景技術】
【０００２】
カメラリンクは、デジタルカメラと画像入力ボードを接続する規格仕様であり、このカメラリンク規格(Base Configuration)では、最大で２４ｂｉｔ（８ｂｉｔ×３Ｔａｐ），８５ＭＨｚの伝送帯域幅でデジタルカメラの画像出力データを伝送できる。
【０００３】
一方、デジタルカメラの伝送帯域幅は、一般的には、例えば８ｂｉｔ，４０ＭＨｚ程度と、カメラリンク規格の伝送帯域幅より狭い。このため、従来の画像出力データの伝送においては、デジタルカメラの伝送帯域幅により伝送帯域幅が決定され、カメラリンクケーブルの広い伝送帯域幅を有効に活用できていなかった。
【０００４】
また、複数のカメラの画像出力を伝送する際、カメラ毎にケーブルを用いて伝送することがある。しかし、この場合、多くのケーブルの引き回しが必要となり、コストやメンテナンス性が問題となる。この問題を解消するには、複数のカメラの画像出力を１本のケーブルで伝送する技術が必要である。
【０００５】
複数のカメラの画像出力を１本のケーブルで伝送する技術として、特許文献１には、複数のカメラのそれぞれからの映像信号をそれぞれ異なる周波数の信号に変換し、更に合成した上で単一の同軸ケーブルに出力し、映像受信システムは、同軸ケーブルを伝送された合成信号から複数の周波数の信号のそれぞれを抽出して、更に映像信号に変換し、モニタへ出力し、映像を表示させる技術が開示されている。しかし、この特許文献１の技術は、同軸ケーブルを使用したアナログ画像出力データの伝送に関する技術であり、デジタル画像出力データをカメラリンクケーブルで伝送する際には利用できない。
【０００６】
また、特許文献２には、複数のカメラからの映像信号の各フィールドを、マルチ映像合成装置により順次ずらして分離してから合成し、マルチ映像分離装置により、伝送ケーブルを介して入力される合成映像信号を再度分離してフレームとして取り出し、各モニタ装置にそれぞれカメラの映像を表示する技術が開示されている。しかし、特許文献２の技術では、映像信号の合成及び分離の処理により画質が劣化するという問題がある（特許文献２の段落００１７〜段落００１８参照）。また、特許文献２の技術も、デジタル画像出力データをカメラリンクケーブルで伝送する際には利用できない。
【先行技術文献】
【特許文献】
【０００７】
【特許文献１】特開２００８−９８９９５６号公報
【特許文献２】特開平８−１３０６８１号公報
【発明の概要】
【発明が解決しようとする課題】
【０００８】
本発明が解決しようとする課題は、画質の劣化を招くことなく、複数のデジタルカメラの画像出力データを１本のカメラリンクケーブルで伝送できるカメラ画像伝送システムを提供することにある。
【課題を解決するための手段】
【０００９】
本発明者は、デジタルカメラの画像出力データの伝送ケーブルとしてカメラリンクケーブルを使用するにあたり、上述したデジタルカメラとカメラリンク規格の伝送帯域幅の違いに着目し、複数のデジタルカメラの画像出力データをカメラリンク規格に準じて広帯域化することで、１本のカメラリンクケーブルで複数のデジタルカメラの画像出力データを同時に伝送することができるようにした。
【００１０】
すなわち、本発明は、複数のデジタルカメラの画像出力データを１本のカメラリンクケーブルで伝送するカメラ画像伝送システムであって、複数のデジタルカメラの画像出力データをカメラリンク規格に準じて広帯域化する広帯域化回路と、１本のカメラリンクケーブルで伝送されてきた前記広帯域化された画像出力データをデジタルカメラ毎の画像出力データに振り分ける復元回路とを有することを特徴とするものである。
【発明の効果】
【００１１】
本発明によれば、広帯域化回路が複数のデジタルカメラの画像出力データをカメラリンク規格に準じて広帯域化するので、１本のカメラリンクケーブルで複数のデジタルカメラの画像出力データを同時に伝送することができる。また、復元回路が１本のカメラリンクケーブルで伝送されてきた前記広帯域化された画像出力データをデジタルカメラ毎の画像出力データに振り分けるので、デジタルカメラ毎の画像出力データを個別に表示することができる。そして、広帯域化回路及び復元回路では、デジタルの画像出力データを処理するので、画質の劣化を招くこともない。
【図面の簡単な説明】
【００１２】
【図１】本発明のカメラ画像伝送システムの一実施形態を示すシステム構成図である。
【図２】図１のカメラ画像伝送システムにおいて広帯域化回路及び復元回路の処理を示す説明図である。
【発明を実施するための形態】
【００１３】
以下、図面を参照して本発明の実施の形態を説明する。
【００１４】
図１は、本発明のカメラ画像伝送システムの一実施形態を示すシステム構成図である。図１の実施形態では、カメラリンク対応の４台のデジタルカメラＣａｍ１〜４の画像出力データを１本のカメラリンクケーブルで伝送する。
【００１５】
各デジタルカメラＣａｍ１〜４の画像出力（伝送帯域）は、（４０ＭＨｚ，１Ｔａｐ出力，１２８０画素／ライン）である。なお、図中、丸数字はカメラ番号、アルファベットはライン数、アルファベットに続く数字は画素数を示す。すなわち、丸数字の１〜４はそれぞれデジタルカメラＣａｍ１〜４の画像出力を示し、アルファベットのＡ，Ｂ，Ｃ・・・はライン数１，２，３・・・を示し、アルファベットに続く数字はラインの画素数１〜１２８０を示す。
【００１６】
各デジタルカメラＣａｍ１〜４の画像出力（ラインデータ）は、変換ボード内のＤＰメモリ（デュアルポートメモリ）に記憶される。そして、同じ変換ボード内に設けられた広帯域化回路が、ＤＰメモリに記憶された各デジタルカメラＣａｍ１〜４のラインデータを処理して広帯域化する。
【００１７】
この広帯域化回路による処理を、図２を参照して説明する。広帯域化回路は、まず、各デジタルカメラＣａｍ１〜４の出力各１ライン目のラインデータを４０ＭＨｚで取得しＤＰメモリに記憶する。次いで、そのＤＰメモリに記憶されている各１ライン目のラインデータを８０ＭＨｚで交互に取得し、Ｃａｍ１とＣａｍ３の各１ライン目のラインデータをＴａｐ０の出力として組み合せ、Ｃａｍ２とＣａｍ４の各１ライン目のラインデータをＴａｐ１の出力として組み合せる。各デジタルカメラＣａｍ１〜４の各２ライン目以降のラインデータも同様に処理される。これにより、各デジタルカメラＣａｍ１〜４の画像出力（ラインデータ）が、１本のカメラリンクケーブルで伝送できるようにカメラリンク規格に準じて広帯域化される。
【００１８】
図１に戻って、広帯域化回路で広帯域化された画像出力データは、カメラリンク規格に準じシリアライズされ１本のカメラリンクケーブルでグラバーボードに伝送される。そしてグラバーボード内でデシリアライズされ復元回路に伝送される。
【００１９】
復元回路は、広帯域化された画像出力データをデジタルカメラ毎の画像出力データに振り分ける。具体的には図２に示すように、復元回路は、広帯域化された画像出力データ（２Ｔａｐのラインデータ）を８０ＭＨｚで１クロックおきに交互に取得し、４台のデジタルカメラに対応する４つのＤＰメモリに、各デジタルカメラの画像出力データを振り分ける。これにより、広帯域化された画像出力データは、４台のデジタルカメラ毎の画像出力データ（フレームデータ）に復元される。この復元された画像出力データは、図１に示すように、ホストバスインターフェイスを介してホストＣＰＵに送られる。
【００２０】
以上のとおり、本発明によれば、画質の劣化を招くことなく、複数のデジタルカメラの画像出力データを１本のカメラリンクケーブルで伝送できる。
【００２１】
なお、図２で説明した広帯域化回路による処理は一例であって、本発明は図２の例に限定されるものではない。要するに、複数のデジタルカメラの画像出力データを１本のカメラリンクケーブルで伝送できるようにカメラリンク規格に準じて広帯域化するために、クロック数を高くしたり、複数のＴａｐに振り分けたりすればよい。また、復元回路の処理も図２の例には限定されず、広帯域化された複数のデジタルカメラの画像出力データの形態に応じて、その画像出力データをカメラ毎に振り分ける処理を行えばよい。
【図１】
2013135297.tif 000003
【図２】
2013135297.tif 000004